(57)【特許請求の範囲】
【請求項１】
組立式物置の四隅の柱上に前後一対の桁材と左右一対の梁材とでなる周枠を形成し、該周枠の中央部上方位置に棟木を配して、該棟木の四隅部と前記周枠の四隅部間に隅木を斜め状に架設するとともに隅木受けを設けた接合金具で接合し、前記棟木と前記周枠との間に複数本の垂木を架設することで骨組みを構成して該骨組み上に屋根板を設け、接合手段で各構成部材間を接合させる寄せ棟式屋根の構造において、上端部に一対の切欠段部と下端部に一対の接合鉤とを設けた前後垂木の前記接合鉤を前後一対の桁材に設けられた条孔に接合して、前下がり状と後下がり状の垂木を設け、その前後垂木の上端間を繋ぎ金具で接合した単位体を、棟木において複数対連結したことを特長とする寄せ棟屋根の構造。
【請求項２】
上端部に一対の掛け鉤と下端部に一対の接合鉤とを設けた左右垂木の前記接合鉤を左右一対の梁材に設けられた条孔に接合するとともに、前記掛け鉤を前記前後垂木の切欠段部に接合したことを特長とする請求項１記載の寄せ棟屋根の構造。
【請求項３】
桁材と梁材を隅木受けを設けた接合金具で接合し、前後垂木と左右垂木の交叉部と隅木受けを設けた接合金具間に、上端部に掛け鉤を設けた隅木を架設したことを特長とする請求項１または２記載の寄せ棟屋根の構造。
【請求項４】
上辺と下辺に接合条溝をそれぞれ設けた屋根板を複数枚上下に配置し、上段屋根板の下辺の条溝と下段屋根板の上辺の条溝とを接合してその接合部を垂木に設けた切起こし爪片内に挿入して屋根板を仮止めすると共に、最上段の屋根板の下面に設けた掛け片を前後垂木上端の切除部に掛けて屋根板を仮止めすることを特長とする請求項１ないし３記載の寄せ棟屋根の構造。
【請求項５】
上端部に一対の条孔と下端部にねじ孔を設けた隅木上に屋根板の端部を載せてその屋根板の端部上に下り棟を架設し、その下り棟の上端下面に設けた鉤片を前記隅木の条孔に挿入し、下り棟の下端部の透孔からボルトを挿入して下り棟で隅木と屋根板の端部を覆うことを特長とする請求項１ないし４記載の寄せ棟屋根。
【請求項６】
前後方向と左右方向に屋根板を複数枚設け、前後方向と左右方向の屋根板端部上に下り棟を設けると共に、その屋根板の頂上部に大棟を設け、その大棟と前記棟木とで屋根板を挟み付けて固定することを特長とする請求項１ないし５記載の寄せ棟屋根。
【発明の詳細な説明】
【０００１】
【発明の属する技術分野】
この発明は、組み立て建物に設ける寄せ棟屋根の構造に関するものである。
【０００２】
【従来の技術】
従来、組み立て建物に設ける屋根の構造として寄せ棟屋根があり、その構造は四隅柱の上端間に桁材と梁材とで構成される周枠を設け、その周枠の中央部上方に棟木を配置して、その棟木の四隅部と前記周枠の四隅部間に斜状の隅木を四本架設し、前記棟木と前記桁材との間に複数本の垂木を架設すると共に、前記棟木と前記梁材との間に垂木を架設して寄せ棟屋根の骨組みを構成し、その骨組み上に四方下り状の屋根板を設け、前後と左右の屋根板接合部に下り棟と屋根頂部に大棟を設けて、各構成部材間をボルトなどで締結していた。
【０００３】
【発明が解決しようとする課題】
ところで、従来例のような寄せ棟屋根の組み立て建物を組み立てるには、一つの部材を組み立てる毎にボルトで締結し、次の部材を組み立ててボルトで締結しながら組み立てていく手順で順次部材を組み立てていくため、組み立てに多くの時間を要すると共に、多数のボルトを使用して組み立て作業を煩雑にしていた。
また、多くのボルトを用いるために組み立て建物の外観美を悪くすると共に、ボルトの挿通孔やボルトから錆が発生して組み立て建物の寿命を短くしたり、ボルトの挿通孔から雨水が滲入して組み立て建物内の収納物を濡らす惧れもあった。
そこで、組み立て建物の寄せ棟屋根の骨組みを接合手段で接合して組み立てを簡単にすると共に、ボルトで締結する箇所を少なくして外観を美しくし、しかも組み立て建物の寿命を長くすることができる寄せ棟屋根の構造を提供することを目的とする。
【０００４】
【課題を解決するための手段】
上記課題を解決するために請求項１において、組立式物置の四隅の柱上に前後一対の桁材と左右一対の梁材とでなる周枠を形成し、該周枠の中央部上方位置に棟木を配して、該棟木の四隅部と前記周枠の四隅部間に隅木を斜め状に架設するとともに隅木受けを設けた接合金具で接合し、前記棟木と前記周枠との間に複数本の垂木を架設することで骨組みを構成して該骨組み上に屋根板を設け、接合手段で各構成部材間を接合させる寄せ棟式屋根の構造において、上端部に一対の切欠段部と下端部に一対の接合鉤とを設けた前後垂木の前記接合鉤を前後一対の桁材に設けられた条孔に接合して、前下がり状と後下がり状に前後垂木を設け上端間を繋ぎ金具で接合した単位体を棟木において複数対連結する構造とした。
さらに請求項２において上端部に一対の掛け鉤と下端部に一対の接合鉤とを設けた左右垂木の前記接合鉤を左右一対の梁材に設けられた条孔に接合すると共に、前記掛け鉤を前記前後垂木の切欠段部に接合し、請求項３においては桁材と梁材を隅木受けを設けた接合金具で接合し、前後垂木と左右垂木の交叉部と隅木受けを設けた接合金具との間に、上端部に掛け鉤を設けた隅木を架設する構造とした。
寄棟式屋根の取付に関しては請求項４において上辺と下辺に接合条溝をそれぞれ設けた屋根板を複数枚上下に配置し、上段屋根板の下辺の条溝と下段屋根板の上辺の条溝とを接合してその接合部を垂木に設けた切起こし爪片内に挿入して屋根板を仮止めすると共に、最上段の屋根板の下面に設けた掛け片を前後垂木上端の切除部に掛止させて屋根板を仮止めすることを特長とする。
また、請求項５において上端部に一対の条孔と下端部にねじ孔を設けた隅木上に屋根板の端部を載せてその屋根板の端部上に下り棟を架設し、その下り棟の上端下面に設けた鉤片を前記隅木の条孔に挿入し、下り棟の下端部の透孔からボルトを挿入して下り棟で隅木と屋根板の端部を覆うとともに、請求項６において屋根板の頂上部に大棟を設け、その大棟と前記棟木とで屋根板を挟み付けて固定することを特長とする。
【０００５】
【発明の実施の形態】
図１は、この発明の寄せ棟屋根の骨組みを設けた組み立て物置Ａの斜視図であり、組み立て物置Ａは、床枠の四隅部に前柱Ｆ１と後柱Ｒ１とをそれぞれ一対設け、三方を壁材と間柱とで囲繞し、左右一対の前柱間に開閉自在の扉を設けてあり、その斜視図を簡素化するために骨組み上に設ける屋根板と後方部の壁材とを省略してある。
【０００６】
図２は、図１に示した寄せ棟屋根の骨組みのみを示した斜視図であり、構成部材は前後一対の桁材１，２と左右一対の梁材３，４と、中央部上方に配置した棟木５と、その棟木５の隅部から前記桁材１，２と前記梁材３，４との接合部間に掛け渡した隅木６と、前記棟木５と前記桁材１，２間に掛け渡した垂木７と、前記棟木５と前記梁材３，４間に掛け渡した垂木８と、前後の垂木７，７間に掛け渡した中間梁材９とである。
【０００７】
図３は、組み立て建物の左前柱Ｆ１の上端部と前桁材１の左端部と左梁材３の前端部と接合金具１０とを示した拡大分解斜視図であり、左前柱Ｆ１は、断面形状が略矩形で上下方向に長く前面上方寄り部に前桁材１の左端部を固定するためのねじ孔ａを設けると共に、左面上方寄り部に左梁材３の前端部を固定するためのねじ孔ｂを設けてある。前桁材１は、左右方向に長い鋼鈑を複数回曲成して水平壁と垂直壁とを連続的に形成して最下の垂直壁１ａにねじ挿通孔１ｂを設け、最下の水平壁を前方へ延長しその前端に前方下がり状のチャンネル材１ｃを付設してあり、そのチャンネル材１ｃの内側壁１ｄに後述する垂木下端の接合鉤を挿入するための条孔を複数箇所設けると共に、後述する左梁材３と接合するために両端を斜状に切欠いである。左梁材３は、前後方向に長い鋼鈑を複数回曲成して水平壁と垂直壁とを連続的に形成して最下の垂直壁３ａにねじ挿通孔３ｂを設け、最下の水平壁を左方へ延長しその左端に左下がり状のチャンネル材３ｃを付設してあり、そのチャンネル材３ｃの内側壁３ｄに後述する垂木下端の接合鉤を挿入するための条孔を設けると共に、前述した前桁材１と接合するために両端を斜状に切欠してある。接合金具１０は、Ｌ型に曲成した金具の左右両壁１０ａ，１０ｂに逆Ｕ字状の切欠き溝１０ｃ，１０ｄをそれぞれ設けると共に、前記左右両壁１０ａ，１０ｂの上端から前方下がりと左方下がりの上壁１０ｅ，１０ｆを形成して後述する隅木の受け部を設け、その上壁１０ｅ，１０ｆにそれぞれねじ孔１０ｇ，１０ｇを設けてあり、その上壁１０ｅ，１０ｆ上に後述する隅木の一端部を架設する。
【０００８】
図４は、図３に示した左前柱Ｆ１と前桁材１と左梁材３と接合金具１０との四部材を組み立てた状態の斜視図であり、その組み立て手順は、まず、左前柱Ｆ１の前面上方寄り部に設けられたねじ孔と前桁材１の左端部に設けられたねじ挿通孔とを合わせてボルトＢで仮締めし、次に左前柱Ｆ１の左面上方寄り部に設けられたねじ孔と左梁材３の前端部に設けられたねじ挿通孔とを合わせてボルトＢで仮締めし、その次に、前桁材１と左梁材３の接合部に接合金具１０を配してその接合金具１０の逆Ｕ字状切欠き溝で前記ボルトＢを回避しながら上方から挿入して接合し、仮締めしていたボルトＢを再び締め直して左前柱Ｆ１の上端に固定する。同じ要領ですべての柱上に後桁材と右梁材とを設けて周枠を形成する。
【０００９】
図５は、組み立て建物の左後柱と右後柱間に架設した後桁材２の中間部と後下がり状に設ける垂木７の下端部とを示した拡大分解斜視図であり、垂木７の上端部は図６を参照する。後桁材２は、左右方向に長い鋼鈑を複数回曲成して水平壁と垂直壁とを連続的に形成して最下の垂直壁にねじ挿通孔を設け、最下の水平壁を後方へ延長しその後端に後方下がり状のチャンネル材２ｃを付設してあり、そのチャンネル材２ｃの内側壁２ｄに後述する垂木下端の接合鉤を挿入するための条孔２ｅ，２ｅを複数箇所設けてある。垂木７は、鋼鈑を複数回曲成して断面が略矩形状の横長い角材で下端部に一対の接合鉤７ａ，７ａを設け、中間部の上壁に屋根板を固定するための切起こし爪片７ｂ，７ｂ，７ｂ，７ｂを複数個設け、上端部の上壁を切除して後述する屋根板仮止め用の切除部７ｃを形成すると共に、側方から垂木を架設するために垂木の上端部側壁に切欠段部７ｄ，７ｄを設け、前後一対の垂木７，７の上端部間を繋ぎ金具イで接合するために一対の透孔７ｅ，７ｅを下壁に設けてあり、左右壁の下方寄り部に後述する中間梁材を架設するためのねじ孔７ｆ，７ｆを一対設けてある。その組み立て手順は、まず、後桁材２の内側壁２ｄに設けられた条孔２ｅ，２ｅに垂木７の接合鉤７ａ，７ａを回転させながら挿入して垂木７を斜状に取り付け、この状態で斜め上方へ引っ張っても垂木７の接合鉤７ａ，７ａが後桁材２のチャンネル材２ｃの内側壁２ｄに引っ掛かって抜けることはない。
【００１０】
図６は、組み立て建物に設ける前後一対の垂木７，７上端部と繋ぎ金具イとの拡大分解斜視図であり、垂木７の下端部は図５を参照する。垂木７は、鋼鈑を複数回曲成して断面が略矩形状の横長い角材で下端部に一対の接合鉤７ａ，７ａを設け、中間部の上壁に屋根板を固定するための切起こし爪片７ｂ，７ｂ，７ｂ，７ｂを複数個設け、上端部の上壁を切除して後述する屋根板仮止め用の切除部７ｃを形成すると共に、側方から垂木を架設するために垂木の上端部側壁に切欠段部７ｄ，７ｄを設け、前後一対の垂木７，７の上端部間を繋ぎ金具イで接合するために一対の透孔７ｅ，７ｅを下壁に設けてある。左右壁の下方寄り部に後述する中間梁材９を架設するためのねじ孔７ｆ，７ｆを一対設けてある。繋ぎ金具イは、平板を側面視へ字状に曲成し左右にそれぞれ一対のねじ孔ロ，ハを設けてある。その組み立て手順は、まず、前桁材１の内側壁１ｄに設けられた条孔１ｅ，１ｅに垂木７の接合鉤７ａ，７ａを回転させながら挿入して垂木７を斜状に取り付け、次に後桁材２の内側壁２ｄに設けられた条孔２ｅ，２ｅに垂木７の接合鉤７ａ，７ａを回転させながら挿入して垂木７を斜状に取り付け、前後一対の垂木７，７の上端間を側面視へ字状に曲成した平板の繋ぎ金具イで接合してボルトＢで連結する。
【００１１】
図７は、組み立て建物に設ける繋ぎ金具イで接合した前後一対の垂木７，７と棟木５の一部とを示す拡大分解斜視図であり、棟木５は、複数個の換気孔ｈを設けた平板の前後辺を垂木７の傾斜角度と同じように下方へ曲成して翼辺５ａ，５ｂを前後に形成し、その翼辺５ａ，５ｂをさらに上方へ曲成して立ち上げ辺５ｃ，５ｄを形成してあり、前記垂木７と接合する部分を切欠して切欠部５ｅ，５ｅ，５ｅをそれぞれ三箇所形成し、その切欠部の翼辺５ａ，５ｂに透孔５ｆ，５ｆを設けてある。その組み立て手順は、まず、前桁材１の内側壁１ｄに設けられた条孔１ｅ，１ｅに垂木７の接合鉤７ａ，７ａを回転させながら挿入して垂木７を斜状に取り付け、次に後桁材２の内側壁２ｄに設けられた条孔２ｅ，２ｅに垂木７の接合鉤７ａ，７ａを回転させながら挿入して垂木７を斜状に取り付け、前後一対の垂木７，７の上端間を側面視へ字状に曲成した平板の繋ぎ金具イで接合してボルトＢで連結した単位体を左右方向に三組み設けた状態で棟木５を下方から当接してボルトＢを兼用して前後垂木７，７の上端部と棟木５とを一体的に接合する。
【００１２】
図８は、組み立て建物に設ける前後桁材１，２に接合された前後垂木７，７の下端間を連結するための中間梁材９の後端部とを示した拡大分解斜視図であり、中間梁材９は、前後方向に長いチャンネル材両端の上下壁９ａ，９ｂを切欠して垂木７の挿入部９ｃを形成し、左右壁９ｄ，９ｅの両端部に透孔９ｆ，９ｆを一対設けてあり、その透孔９ｆ，９ｆを前記垂木７のねじ孔７ｆ，７ｆと合わせてボルトＢで連結する。図示は、中間梁材９の一端部を示してあるが，もう一端部も同様に形成してあり、中間梁材９の透孔からボルトＢを挿入して垂木７のねじ孔７ｆに捻じ込んで前後の垂木７，７と中間梁材９とでトラス状に形成する。
【００１３】
図９は、組み立て建物に設ける左梁材３の中間部と左右方向に設ける垂木８の下端部とを示した拡大分解斜視図であり、垂木８の上端部は図１０を参照する。左梁材３は、前後方向に長い鋼鈑を複数回曲成して水平壁と垂直壁とを連続的に形成して最下の垂直壁にねじ挿通孔を設け、最下の水平壁を左方へ延長しその左端に左下がり状のチャンネル材３ｃを付設してあり、そのチャンネル材３ｃの内側壁３ｄに後述する垂木８下端の接合鉤８ａ，８ａを挿入するための条孔３ｅ，３ｅを設けるてある。垂木８は、鋼鈑を複数回曲成して断面が略矩形状の横長い角材で下端部に一対の接合鉤８ａ，８ａを設け、中間部の上壁に屋根板を固定するための切起こし爪片８ｂ，８ｂ，８ｂ，８ｂを複数個設け、上端部の上壁を切除して後述する屋根板仮止め用の切除部８ｃを形成すると共に、上端に一対の掛け鉤８ｄ，８ｄを設けてある。その組み立て手順は、まず、左梁材３の内側壁３ｄに設けられた条孔３ｅ，３ｅに垂木８の接合鉤８ａ，８ａを回転させながら挿入して垂木８を斜状に取り付け、垂木８の掛け鉤８ｄ，８ｄを上端部側壁に切欠段部７ｄ，７ｄを設けた垂木７の切欠段部７ｄ，７ｄに引っ掛けて架設する。
【００１４】
図１０は、組み立て建物に設ける繋ぎ金具イで接合した前後一対の垂木７，７と左右方向に設ける垂木８の左端部とを示した拡大分解斜視図であり、垂木８は、鋼鈑を複数回曲成して断面が略矩形状の横長い角材で下端部に一対の接合鉤８ａ，８ａを設け、中間部の上壁に屋根板を固定するための切起こし爪片８ｂ，８ｂ，８ｂ，８ｂを複数個設け、上端部の上壁を切除して後述する屋根板仮止め用の切除部８ｃを形成すると共に、上端に一対の掛け鉤８ｄ，８ｄを設けてある。
【００１５】
図１１は、組み立て建物に設ける前桁材１と左梁材３の接合部と隅木６の下端部とを示した拡大分解斜視図であり、隅木６の上端部は図１２を参照する。隅木６は、上壁６ａが短く下壁６ｂが長い変形チャンネル材を左右対称に配して垂壁６ｃ，６ｃ同士を結合して形成し、上壁６ａの前端部の一部を切欠してボルト挿入用の切欠き部６ｄ設け、下壁６ｂの前端部にボルト挿通孔６ｅ，６ｅと上壁６ａの前端部にねじ孔６ｆ，６ｆとをそれぞれ一対設け、垂壁６ｃの後方を延長して掛け鉤６ｇを形成し、上壁６ａの後方部に一対の条孔６ｈ，６ｈを設けてある。
【００１６】
図１２は、組み立て建物に設ける前後方向の垂木７，７と左右方向の垂木８の接合部と隅木６の上端部とを示した拡大分解斜視図であり、隅木６は、上壁６ａが短く下壁６ｂが長い変形チャンネル材を左右対称に配して垂壁６ｃ，６ｃ同士を結合して形成し、上壁６ａの前端部と下壁６ｂの前端部との一部を切欠してボルト挿入用の切欠き部６ｄ設け、下壁６ｂの前端部にボルト挿通孔６ｅ，６ｅと上壁６ａの前端部にねじ孔６ｆ，６ｆとをそれぞれ一対設け、垂壁６ｃの後方を延長して掛け鉤６ｇを形成し、上壁６ａの後方部に一対の条孔６ｈ，６ｈを設けてある。その組み立て手順は、まず、後方の掛け鉤６ｇを前後方向の垂木７，７と左右方向の垂木８の接合部上に掛けて前端部下壁６ｂに設けられたボルト挿通孔６ｅ，６ｅからボルトＢを挿入して接合金具１０のねじ孔１０ｇ，１０ｇに捻じ込んで固定する。
【００１７】
図１３は、組み立て建物に設ける前後方向の垂木７，７と屋根板１１とを分離して示した拡大分解斜視図であり、屋根板１１は、左右方向に長く両端部を斜め状に切欠した略台形状鋼鈑の下辺を下向きに二度曲成して側面視コ字状条溝１１ａを形成すると共に、鋼鈑の上辺を上向きに曲成して側面視Ｕ字状条溝１１ｂを形成し、その条溝１１ｂの端縁を上方へ曲成して立ち上げ辺１１ｃを形成してある単位体を長短複数種設け、最短の屋根板１１′には側面視Ｕ字状条溝１１′ｂの下面に下向きのＬ型小片１１′ｄ設けてある。屋根板１１の組み立ては、最長の屋根板１１″を桁材１上に配置し、屋根板１１″の側面視コ字状条溝１１″ａを桁材１の前端部に設けられたチャンネル材１ｃに引っ掛ける（図１４を参照する。）と同時に、両端部を隅木の上壁と下壁との間に挿入しながら組み立て、次に長い屋根板１１を前記屋根板１１″上に配置して前記屋根板１１″の側面視Ｕ字状条溝１１″ｂに側面視コ字状条溝１１ａの下辺を接合と同時に、両端部を隅木の上壁と下壁との間に挿入しながら順次組み立て最上に設ける屋根板１１′の下面に設けられた下向きのＬ型小片１１′ｄを垂木７の上端部に設けられた切除部７ｃに引っ掛けて屋根板１１′を仮止めすると、中間部の屋根板接合部は垂木７の上壁に設けられた切起こし爪片７ｂ，７ｂ，７ｂに側面視Ｕ字状条溝１１ｂが引っ掛かり上下位置の屋根板が同時に固定される。
【００１８】
図１５は、組み立て建物に設ける屋根板端部の接合部と屋根板の接合部上に設ける下り棟１２の上端部とを示した拡大分解斜視図であり、下り棟１２の下端部は図１６を参照する。下り棟１２は、下面を開放したチャンネル材で側面壁１２ａ，１２ａを屋根板１１の段差部に合わさるよう階段状に切欠き、上端下面に一対の鉤片１２ｂ，１２ｂを設けてある。その組み立て手順は、下り棟１２の鉤片１２ｂ，１２ｂを前述した隅木６の条孔６ｈ，６ｈに挿入して引っ掛け、下端に設けられた透孔１２ｃ，１２ｃからボルトＢを挿入して隅木６のねじ孔６ｆ，６ｆに捻じ込んで下り棟１２と隅木６とを一体的に固定し屋根板１１の端部を覆い隠して雨水などの滲入を防止する。
【００１９】
図１７は、組み立て建物の前後方向下がり状と左右方向下がり状とにそれぞれ屋根板を設けた寄せ棟屋根の頂上部に設ける大棟１３と棟木５との拡大分解斜視図であり、大棟１３は、横長い鋼鈑を曲成して前後下り壁１３ａ，１３ｂと左右下り壁１３ｃ，１３ｄとを形成し、前後下り壁の下辺を下方へ延長して側壁１３ｅを設け、その側壁１３ｅの両端部を切り欠いで切欠部１３ｆ，１３ｆを設けた略箱型材で、その略箱型材の裏面にねじ孔１３ｉと垂下片１３ｊを下端に設けた逆三角形状の取り付け座１３ｇ，１３ｇを左右一対設けてある。棟木５は、複数個の換気孔ｈを設けた平板の前後辺を垂木７の傾斜角度と同じように下方へ曲成して翼辺５ａ，５ｂを前後に形成し、その翼辺５ａ，５ｂをさらに上方へ曲成して立ち上げ辺５ｃ，５ｄを形成してあり、前記垂木７と接合する部分を切欠して切欠部５ｅ，５ｅ，５ｅをそれぞれ三箇所形成し、その切欠部の翼辺５ａ，５ｂに透孔５ｆ，５ｆ，５ｆを設けてある。前記換気孔ｈの近隣に透孔５ｇと角孔５ｈとを設けてある。（図１９を参照する。）その組み立て手順は、前後方向下がり状と左右方向下がり状とにそれぞれ屋根板を設けた屋根の頂上部に大棟１３を被せて棟木５の角孔５ｈに大棟１３の取り付け座１３ｇ，１３ｇ下端に設けられた垂下片１３ｊを挿入して位置決めして、組み立て建物内の棟木５の透孔５ｇからボルトＢを挿入して大棟１３の裏面に設けられた取り付け座１３ｇ，１３ｇのねじ孔に捻じ込んで大棟１３と棟木５とで上段の屋根板を挟んで固定する。図１８は、図２に示した寄せ棟屋根の骨組み上に前後方向下がり状と左右方向下がり状とに屋根板１１を設け、屋根板の端部接合部上に下り棟１２を設けると共に、屋根の頂上部に大棟１３を設けた状態の斜視図であり、前後左右の軒先に設ける軒樋は図面では省略してあるが、前後左右の軒樋を設けて屋根上に降った雨水を集め地面に放水するようにすれば、組み立て建物の寿命を長くすることができる。
【００２０】
【発明の効果】
この発明の寄せ棟屋根の構造は、床枠の四隅部に前柱と後柱とをそれぞれ一対設け、三方を壁材と間柱とで囲繞し、左右一対の前柱間に開閉自在の扉を設けた組み立て物置の屋根構造において、四隅の柱上に前後一対の桁材と左右一対の梁材とでなる周枠を形成し、該周枠の中央部上方位置に棟木を配して、該棟木の四隅部と前記周枠の四隅部間に四本の隅木を斜め状に架設すると共に、前記棟木と前記周枠間に複数本の垂木を斜め状に架設して骨組みを構成して該骨組み上に屋根板を設け、接合手段で各構成部材間を接合させるので、各構成部材間を接合手段で接合して組み立てを簡単にすると共に、ボルトを使用して締結する箇所を少なくして外観を美しくし、しかもボルトの挿通孔やボルトから錆が発生しにくくし、組み立て建物の寿命を長くすることができる寄せ棟屋根の構造を提供することができる。
【図面の簡単な説明】
【図１】寄せ棟屋根の骨組みを設けた組み立て物置の斜視図
【図２】寄せ棟屋根の骨組みのみを示した斜視図
【図３】左前柱の上端部と前桁材の左端部と左梁材の前端部と接合金具とを示した拡大分解斜視図
【図４】左前柱と前桁材と左梁材と接合金具との四部材を組み立てた状態の斜視図
【図５】後桁材の中間部と後下がり状に設ける垂木の下端部とを示した拡大分解斜視図
【図６】前後一対の垂木上端部と繋ぎ金具との拡大分解斜視図
【図７】繋ぎ金具で接合した前後一対の垂木と棟木の一部とを示す拡大分解斜視図
【図８】前後桁材に接合された前後垂木の下端間を連結するための中間梁材の後端部とを示した拡大分解斜視図
【図９】左梁材の中間部と左右方向に設ける垂木の下端部とを示した拡大分解斜視図
【図１０】繋ぎ金具で接合した前後一対の垂木と左右方向に設ける垂木の左端部とを示した拡大分解斜視図
【図１１】前桁材と左梁材の接合部と隅木の下端部とを示した拡大分解斜視図
【図１２】前後方向の垂木と左右方向の垂木の接合部と隅木の上端部とを示した拡大分解斜視図
【図１３】前後方向の垂木と屋根板とを示した拡大分解斜視図
【図１４】前桁材と屋根板との接合状態を示した斜視図
【図１５】屋根板端部の接合部と屋根板の接合部上に設ける下り棟の上端部とを示した拡大分解斜視図
【図１６】屋根板端部の接合部と屋根板の接合部上に設ける下り棟の下端部とを示した拡大分解斜視図
【図１７】屋根の頂上部に設ける大棟と棟木との拡大分解斜視図
【図１８】屋根の頂上部に大棟と屋根板の接後部上に下り棟を設けた屋根の斜視図
【図１９】大棟の取り付け座と棟木の左端部との拡大分解斜視図
【符号の説明】
１…前桁材
１ｃ…チャンネル材
１ｅ…条孔
２…後桁材
３…左梁材
３ｃ…チャンネル材
３ｅ…条孔
４…右梁材
５…棟木
６…隅木
６ｄ…切欠き部
６ｇ…掛け鉤
６ｈ…条孔
７…垂木
７ａ…接合鉤
７ｂ…切起こし爪片
７ｃ…切除部
７ｄ…切欠段部
８…垂木
８ａ…接合鉤
８ｂ…切起こし爪片
８ｃ…切除部
８ｄ…掛け鉤
９…中間梁材
１０…接合金具
１１，１１…屋根板
１１ａ，１１′ａ…側面視コ字状条溝
１１ｂ，１１′ｂ…側面視Ｕ字状条溝
１１′ｄ…小片
１２…下り棟
１２ｂ…鉤片
１２ｃ…透孔
１３…大棟
１３ｆ…切欠部
１３ｇ…取り付け座
【図１】
0003571313.tif 000002
【図２】
0003571313.tif 000003
【図３】
0003571313.tif 000004
【図４】
0003571313.tif 000005
【図５】
0003571313.tif 000006
【図６】
0003571313.tif 000007
【図７】
0003571313.tif 000008
【図８】
0003571313.tif 000009
【図９】
0003571313.tif 000010
【図１０】
0003571313.tif 000011
【図１１】
0003571313.tif 000012
【図１２】
0003571313.tif 000013
【図１３】
0003571313.tif 000014
【図１４】
0003571313.tif 000015
【図１５】
0003571313.tif 000016
【図１６】
0003571313.tif 000017
【図１７】
0003571313.tif 000018
【図１８】
0003571313.tif 000019
【図１９】
0003571313.tif 000020